(57)【要約】【課題】気泡のような撮影に有害な部分の存在による撮影画像のコントラストの劣化を軽減して、標本に写し取られているパターンを鮮明に写真撮影することが可能な写真撮影用装置を得る。【解決手段】透明な板２１を有し撮影対象物１を載置する撮影対象物載置台２と、透明な板２１を通して撮影対象物載置台２に載せられる撮影対象物１を背後から照明するように配置されている照明手段２４と、撮影対象物載置台２に正対させてカメラ６を装着することができるカメラ装着部４と、透明な板２１の照明手段２４側の面に透明な板２１に重ねて配置された偏光板２２と、を有する。透明な板２１の照明手段２４側の面に配置された偏光板２２を第１の偏光板としたとき、透明な板２１とカメラ装着部４との間に第２の偏光板２３を配置し、第１の偏光板２２と第２の偏光板２３は、偏光方向が互いに直交する方向になるように配置するとよい。【選択図】図１
2006146037.tif 000002
【特許請求の範囲】
【請求項１】
透明な板を有しこの透明な板に撮影対象物を載置する撮影対象物載置台と、
上記透明な板を通して撮影対象物載置台に載せられる撮影対象物を背後から照明するように配置されている照明手段と、
撮影対象物載置台に正対させてカメラを装着することができるカメラ装着部と、
上記透明な板の上記照明手段側の面に透明な板に重ねて配置された偏光板と、を有してなる写真撮影装置。
【請求項２】
透明の板の照明手段側の面に配置された偏光板を第１の偏光板とすると、上記透明な板とカメラ装着部との間に第２の偏光板が配置された請求項１記載の写真撮影装置。
【請求項３】
第１の偏光板と第２の偏光板は、偏光方向が互いに直交する方向である請求項２記載の写真撮影装置。
【発明の詳細な説明】
【技術分野】
【０００１】
本発明は、例えば、犯罪捜査における足跡などを転写した粘着シートフィルムなどを写真撮影するのに適した写真撮影装置に関するものである。
【背景技術】
【０００２】
犯罪捜査において、足跡の鑑識は犯人の特定に有力な手がかりとなる。足跡の鑑識には、足跡パターンを転写することができる粘着シートフィルム、石膏標本、パップフィルムなどが用いられる。粘着シートフィルムとは、現場に残されている平面的な足跡に粘着シートを被せて足跡のパターンを採取したフィルムのことである。粘着シートフィルムには土や汚れなどによって足跡のパターンが粘着力によって転写される。こうして足跡を転写した粘着シートフィルムは、これを板ガラスに貼り付け、この板ガラスを写真撮影装置にセットして写真撮影し、写真を観察しながら犯人の割り出しに供する。足跡粘着シートフィルムは、これに照明光を照射して透過させ、照明光源の反対側から粘着シートフィルムを観察することにより、すなわち暗視野照明装置を使用することにより、記録されている足跡パターンを鮮鋭に観察することができ、これを照明光源とは反対側から写真撮影することにより鮮鋭な写真を得ることができる。すなわち、暗視野照明装置が用いられる。
【０００３】
上記石膏標本は、比較的柔らかい土などに残された立体的な足跡に石膏を流し込み固めて作成した標本である。石膏標本は凹凸のある物体であるから、これを観察しまた写真撮影する場合は、標本の斜め上方に配置した光源から標本に照明光を斜めに照射して照明し、標本をその真上から観察し写真撮影している。石膏標本のように凹凸のある物体表面を写真撮影し、あるいは画像処理するに際し、凹凸のコントラストを高めかつ照明光が直接カメラに入射しないように、処理物体に対する照明光の照射角度を処理物体表面の垂直方向に対し５度ないし１５度とした明暗視野照明方法も提案されている（例えば、特許文献１参照）。特許文献１記載の発明は、物体表面の欠陥も、凹部の底部の欠陥も捉えることができる照明方法を提供することを目的としている。
【０００４】
【特許文献１】特開平６−２１４２９０号公報
【０００５】
しかしながら、例えば、前記足跡粘着シートフィルムのように、粘着シートをガラス板に貼り付けてこれを暗視野照明装置で照明し、写真撮影するものにあっては、粘着シートをガラス板に貼り付ける際に、粘着シートとガラス板との間に空気が閉じ込められて気泡となり、暗視野照明による照明光が気泡を透過し、これを写真撮影すると、気泡の部分が白く写って鮮鋭な足跡写真が得られないという難点があった。特許文献１記載の発明や、従来の撮影装置ないしは照明装置では、上記のような問題点を解消することはできない。
【発明の開示】
【発明が解決しようとする課題】
【０００６】
本発明は、上に述べたような従来技術の問題点を解消するためになされたもので、例えば、前記足跡粘着シートフィルムのように、粘着シートをガラス板に貼り付けてこれを暗視野照明装置で照明し、写真撮影するようにした写真撮影装置であって、粘着シートとガラス板との間に空気が閉じ込められて気泡が存在していても、気泡の存在による撮影画像のコントラストの劣化を軽減して、粘着シートに写し取られているパターンを鮮明に写真撮影することが可能な写真撮影用装置を提供することを目的とする。
【課題を解決するための手段】
【０００７】
本発明は、透明な板を有し撮影対象物を載置する撮影対象物載置台と、上記透明な板を通して撮影対象物載置台に載せられる撮影対象物を背後から照明するように配置されている照明手段と、撮影対象物載置台に正対させてカメラを装着することができるカメラ装着部と、上記透明な板の上記照明手段側の面に上記透明な板に重ねて配置された偏光板と、を有していることを最も主要な特徴とする。
上記透明な板の照明手段側の面に配置された偏光板を第１の偏光板としたとき、上記透明な板とカメラ装着部との間に第２の偏光板を配置するとなおよい。
上記第１の偏光板と第２の偏光板は、偏光方向が互いに直交する方向になるように配置するとなおよい。
【発明の効果】
【０００８】
撮影対象が粘着シートをガラス板に貼り付けたものである場合、ガラス板と粘着シートとの間に空気が閉じ込められて気泡が存在していると、その背後から照射される照明光が気泡によって乱反射され、気泡の部分が光って撮影され、全体としてコントラストの低い画像になってしまうが、本発明によれば、照明光が偏光板を透過することによって照明光の偏光方向が揃えられ、この偏光方向が揃った照明光が撮影対象に照射されるため、気泡による乱反射が抑制され、カメラ側から見て気泡部分の輝度が抑制されてコントラストの高い撮影画像を得ることができる。
上記の効果は、撮影対象物載置台とカメラ装着部との間にも偏光板を配置すればより高まり、これら二つの偏光板の偏光方向を直交する方向にすればなお一層効果が高まる。
【発明を実施するための最良の形態】
【０００９】
以下、図面を参照しながら本発明にかかる写真撮影装置の実施例について説明する。
【００１０】
まず、本発明にかかる写真撮影装置の実施例の概要を、図４を参照しながら説明する。図４において、符号１０は写真撮影装置のベースを示している。ベース１０からは支柱７が垂直に立ち上がっており、支柱７には、箱型の暗視野透過光照明器５を主体としてなる撮影対象物載置台２が支柱７に沿って上下動可能に取り付けられている。撮影対象物載置台２の内部には、あとで詳細に説明するように、暗視野照明のための光源が配置されている。撮影対象物載置台２の上面にはガラス板などからなる透明な板２１が嵌めこまれ、この透明な板２１の上に撮影対象物を載せることができるようになっている。撮影対象物載置台２の背面側である上記支柱７への取り付け部側からは左右斜め上方向に向かってアームが伸び出ていて、これらのアームによって反射光照明器３がそれぞれ保持されている。各反射光照明器３は照明光源として写真撮影専用の蛍光ランプが用いられ、蛍光ランプの長さ方向が撮影対象物載置台２の奥行き方向と平行になっていて、撮影対象物載置台２の上面を左右斜め上方から照明するようになっている。
【００１１】
上記支柱７の上端部からはアームが前方に伸び出ていて、このアームの先端にはカメラ装着部４が設けられている。このカメラ装着部４には、撮影対象物載置台２の上面に正対させてカメラを装着することができ、また、ラックとピニオンによって上下に移動することができるようになっている。符号８は照明光源のオン・オフ、撮影対象物載置台２の上下動などを操作するためのスイッチボックスを、符号９はフットスイッチを示している。
【００１２】
例えば、凹凸のある石膏標本などを撮影対象物載置台２の上に載せて撮影する場合は、各反射光照明器３を点灯して標本を左右斜め上方から照明し、カメラ装着部４に装着したカメラによって標本を撮影する。このときの撮影画像は標本からの反射光によるものである。また、撮影対象物１が、例えば、足跡を転写した粘着シートフィルムなどを撮影する場合は、図３に示すように、粘着シートフィルムを貼り付けたガラス板１２を撮影対象物載置台２の透明な板２１の上に載せ、暗視野照明によって撮影する。すなわち、撮影対象物載置台２の主体をなす前記箱型の暗視野透過光照明器５内に配置された照明手段を点灯して上記粘着シートフィルムを下方から照明し、粘着シートフィルムを透過した光によって写真撮影する。
【００１３】
次に、上記撮影対象物載置台２の具体的な構成を説明する。図１において、撮影対象物載置台２の主体をなす箱型の暗視野透過光照明器５の上面には窓孔が形成されていて、この窓孔に前記透明な板２１が嵌め込まれている。暗視野透過光照明器５の内底部の４辺に沿ってそれぞれ直管型の写真撮影専用蛍光ランプからなる照明光源２４が配置されている。これらの照明光源２４は、撮影対象物載置台２を通して、より具体的には撮影対象物載置台２の透明な板２１を通して、撮影対象物載置台２に載せられる撮影対象物１を背後から照明するように配置されている。すなわち、上記照明光源２４を含む照明手段は暗視野照明手段を構成している。
【００１４】
図２は、暗視野照明手段を構成する照明光源２４である蛍光ランプの具体例を示す横断面図である。この蛍光ランプは、長さ方向のほぼ全体にわたって一定幅の透明部分すなわちアパーチャ２６を有し、それ以外は遮光部２５となっている。照明光源２４から放射される照明光の大半はアパーチャ２６から放射され、照明光の放射範囲は一定の角度範囲内となる。そこで、図１に示すように、各照明光源２４からの照明光が前記透明な板２１の全面に照射されるように、照明光源２４のアパーチャ２６の向きを設定する。照明な板２１の全面が均一に照明されるように、照明光源２４からの照明光を、拡散板を介して透明な板２１に照射するようにしてもよい。
【００１５】
図１において、撮影対象物載置台２には、透明な板２１の下面に重ねて偏光板２２が配置されている。したがって、各照明光源２４からの照明光は、偏光板２２によって偏光面が一方向に揃えられて透明な板２１を透過し、透明な板２１の上に載せられている撮影対象物１を照明する。照明光が偏光板２１を透過することによって照明光の偏光方向が揃えられ、偏光方向が揃った照明光が撮影対象物１に照射される。撮影対象物１である上記粘着シートフィルムとガラス板との間に気泡が生じていたとしても、照明光の偏光方向が上記のように揃えられることによって、気泡によって反射されカメラ６に入射する光の割合が制限され、換言すれば、気泡による乱反射が抑制され、気泡部分の輝度が抑制されてコントラストの高い撮影画像を得ることができる。
【００１６】
上記の偏光板２２を第１の偏光板とすると、上記透明な板２１とカメラ装着部４との間にも、第２の偏光板２３が配置されている。図１に示す実施例では、第２の偏光板２３はカメラ装着部に装着されるカメラ６の撮影レンズの直前に配置されている。上記のように、第１の偏光板２２によって照明光の偏光方向が揃えられ、撮影対象物１を透過した光がさらに第２の偏光板２３によって偏光方向が揃えられるため、前述の気泡のように、本来撮影されるべきでない、写真の画質にとって有害な部分による乱反射が抑制され、より一層コントラストの高い、鮮鋭な画像を撮影することができる。
【００１７】
第１の偏光板２２と第２の偏光板２３の偏光方向は、互いに異なっているのが望ましく、双方の偏光方向が互いに直交する方向であることがより望ましい。偏光方向が互いに直交する方向になるように設定されることにより、上記気泡のような本来撮影されるべきでない部分による乱反射の抑制が互いに直交する２方向においてなされるため、より一層鮮鋭な画像を撮影することができる。
【００１８】
図１に示す実施例では、撮影対象物載置台２を構成する四角形の箱の内面に、上記透明な板２１と偏光板２２の部分を除き、反射防止材２８が貼り付けられている。反射防止材２８は、例えば、黒色のベルベット生地の裏面を黒色のコーティング材でコーティングしたものを用いるとよい。一般のベルベット生地は、これを平面に貼り付けようとすると平面を出すのが難しくてしわになりやすく、しわが生じるとその部分で光が反射され、反射防止材としての機能を十分に発揮することができないという難点があった。また、一般のベルベット生地は、これを適宜の大きさに切断すると、切断部分で解れが生じ、解れの処理に手間取る、というような問題があった。その点、裏面を黒色のコーティング材でコーティングすると、コーティング材によって平面が保たれるため平面を出しやすく、しわによる反射の問題を解消することができる。また、ベルベット生地を構成する糸ないしは繊維がコーティング材によって保持されるため、切断面のおいて解れることがなく、解れを処理する手間を省くことができる。
【産業上の利用可能性】
【００１９】
本発明は、犯罪捜査における鑑識標本の撮影に限らず、暗視野照明による写真撮影に適した撮影対象物を鮮鋭に撮影しようとする用途に広く用いることができる。
【図面の簡単な説明】
【００２０】
【図１】本発明にかかる写真撮影明装置の実施例を概略的に示す一部断面正面図である。
【図２】同上実施例中の照明光源の例を示す横断面図である。
【図３】上記実施例における撮影対象物載置台の透明な板と撮影対象物との関係を示す正面図である。
【図４】本発明にかかる写真撮影明装置の実施例の外観を示す斜視図である。
【符号の説明】
【００２１】
１    撮影対象物
２    撮影対象物載置台
４    カメラ装着部
６    カメラ
２２    第１の偏光板
２３    第２の偏光板
２４    照明光源
【図１】
2006146037.tif 000003
【図２】
2006146037.tif 000004
【図３】
2006146037.tif 000005
【図４】
2006146037.tif 000006